(57)【要約】【課題】洗濯機で移動通信端末を衣類に入れたまま洗濯が行われるのを防止する。【解決手段】ユーザがポケットに移動通信端末８をいれたままの衣類７を水槽３に入れた状態で、操作部の洗濯開始ボタンを押す、あるいはタイマで設定された洗濯開始時刻になると、洗濯開始の指示が出る。コンピュータ６のＣＰＵは、固定電話機２に対して予め登録された移動通信端末８の電話番号に発呼する。この発呼に応じて移動通信端末８は所定の信号電波を発信すると共に、警告手段から警告音、警告メッセージによる警告を発する。この信号電波を水槽３内のセンサ９が検出すると、ＣＰＵは注水口４からの水槽３への注水を禁止すると共に、警告音や警告メッセージを発する。ユーザが水槽から移動通信端末を取り除くと共に、警告を解除すると、再び水槽３内の信号電波を検出し、検出しなかった場合は洗濯プログラムを動作させる。【選択図】        図１
2004351124.tif 000002
【特許請求の範囲】
【請求項１】
洗濯機と通信を行う通信手段と、洗濯機との通信に応じて所定の信号電波を発信する発信手段とを設けたことを特徴とする移動通信端末。
【請求項２】
前記所定の信号電波を発信する際に警告を発する警告手段を設けたことを特徴とする請求項１記載の移動通信端末。
【請求項３】
所定の電話機からの発呼に応じて所定の信号電波を発信する発信手段を設けた移動通信端末と、
水槽に注水を行う注水手段と、前記電話機を接続する接続手段と、前記接続手段に接続された前記電話機より前記移動通信端末の電話番号に発呼する制御手段と、前記移動通信端末の発信手段が発信する前記所定の信号電波の有無を前記水槽内で検出する検出手段と、前記所定の信号電波が検出されたとき前記注水手段による前記水槽への注水を禁止する注水禁止手段とを設けた洗濯機とを備えたことを特徴とする移動通信端末の水濡れ防止システム。
【請求項４】
通信手段と、洗濯機との通信に応じて所定の信号電波を発信する発信手段を設けた移動通信端末と、
水槽に注水を行う注水手段と、前記移動通信端末と通信する通信手段と、前記移動通信端末との通信に応じて前記移動通信端末の発信手段が発信する所定の信号電波の有無を前記水槽内で検出する検出手段と、前記所定の信号電波が検出されたとき前記注水手段による前記水槽への注水を禁止する注水禁止手段とを設けた洗濯機とを備えたことを特徴とする移動通信端末の水濡れ防止システム。
【請求項５】
水槽に注水を行う注水手段と、
電話機を接続する接続手段と、
前記接続手段に接続された電話機より予め登録された移動通信端末の電話番号に発呼する制御手段と、
前記移動通信端末が発信する所定の信号電波の有無を前記水槽内で検出する検出手段と、
前記所定の信号電波が検出されたとき前記注水手段による前記水槽への注水を禁止する注水禁止手段とを設けたことを特徴とする洗濯機。
【請求項６】
水槽に注水を行う注水手段と、
予め登録された移動通信端末と通信する通信手段と、
前記移動通信端末との通信に応じて前記移動通信端末が発信する所定の信号電波の有無を前記水槽内で検出する検出手段と、
前記所定の信号電波が検出されたとき前記注水手段による前記水槽への注水を禁止する注水禁止手段とを設けたことを特徴とする洗濯機。
【請求項７】
前記検出手段の検出に応じて警告を発する警告手段を設けたことを特徴とする請求項５又は６記載の洗濯機。
【発明の詳細な説明】
【０００１】
【発明の属する技術分野】
本発明は、携帯電話機等の移動通信端末が誤って洗濯機で洗濯されてしまうことを防止するようにした移動通信端末の水濡れ防止システム、および、このシステムで用いられる移動通信端末と洗濯機とに関するものである。
【０００２】
【従来の技術】
最近の洗濯機は全自動のものが主流であり、現在多く普及している全自動洗濯機は、一連の洗濯作業をプログラミングしたコンピュータを内蔵し、衣類を入れてスイッチを押すと、あるいはタイマで設定された時刻になると、洗濯物の計量、注水、洗剤の投入、洗浄、すすぎ、脱水等の一連の洗濯作業が全て自動的に行われる。また、洗濯機の洗濯スタートボタンを押さない限り水層内に注水されることはない。
【０００３】
このような全自動洗濯機で衣類のポケット等に携帯電話機等の移動通信端末を入れたまま衣類の洗濯を行った場合、防水加工の施されている移動通信端末以外は水に濡れて故障する、あるいは故障を免れてもメモリに記憶されていた重要なデータ（アドレス帳・受信メール・ダウンロードしたプログラム等）が失われてしまう可能性が非常に高い。
【０００４】
尚、防水加工を施した移動通信端末としては、特許文献１に記載されたような筐体の接合部にパッキンを介在させるものが知られている。
【０００５】
【特許文献１】
実開平５−３９０５５号公報
【０００６】
【発明が解決しようとする課題】
しかしながら、水に濡れた移動通信端末を販売店に修理に出しても、移動通信端末に貼付された水濡れ判定シールに異常が見られたり、移動通信端末内部に水分による結露が認められた場合には、販売店では修理の対象外としており、利用者は新しく移動通信端末を買い換えなければならず経済的な痛手を負う。
また、故障を免れたとしてもメモリに記憶されていた重要なデータを失う可能性が非常に高く、バックアップを取っていなかった場合は再びアドレスを登録し直す等の大変な手間がかかる。
【０００７】
本発明は上記の問題を解決するためのもので、移動通信端末を衣類に入れたまま洗濯が行われるのを防止するようにした移動通信端末の水濡れ防止システム、およびこのシステムに用いられる移動通信端末と洗濯機とを提供することを目的とするものである。
【０００８】
【課題を解決するための手段】
上記の目的を達成するために、本発明による移動通信端末は、洗濯機と通信を行う通信手段と、洗濯機との通信に応じて所定の信号電波を発信する発信手段とを設けたことを特徴とするものである。
【０００９】
また、本発明による移動通信端末の水濡れ防止システムは、所定の電話機からの発呼に応じて所定の信号電波を発信する発信手段を設けた移動通信端末と、水槽に注水を行う注水手段と、前記電話機を接続する接続手段と、前記接続手段に接続された電話機より前記移動通信端末の電話番号に発呼する制御手段と、前記移動通信端末の発信手段が発信する前記所定の信号電波の有無を前記水槽内で検出する検出手段と、前記所定の信号電波が検出されたとき前記注水手段による前記水槽への注水を禁止する注水禁止手段とを設けた洗濯機とを備えたことを特徴とするものである。
【００１０】
また、本発明による移動通信端末の水濡れ防止システムは、通信手段と、洗濯機との通信に応じて所定の信号電波を発信する発信手段とを設けた移動通信端末と、水槽に注水を行う注水手段と、前記移動通信端末と通信する通信手段と、前記移動通信端末との通信に応じて前記移動通信端末の発信手段が発信する所定の信号電波の有無を前記水槽内で検出する検出手段と、前記所定の信号電波が検出されたとき前記注水手段による前記水槽への注水を禁止する注水禁止手段とを設けた洗濯機とを備えたことを特徴とするものである。
【００１１】
本発明による洗濯機は、水槽に注水を行う注水手段と、電話機を接続する接続手段と、前記接続手段に接続された電話機より予め登録された移動通信端末の電話番号に発呼する制御手段と、前記移動通信端末が発信する所定の信号電波の有無を前記水槽内で検出する検出手段と、前記所定の信号電波が検出されたとき前記注水手段による前記水槽への注水を禁止する注水禁止手段とを設けたことを特徴とするものである。
【００１２】
また、本発明による洗濯機は、水槽に注水を行う注水手段と、予め登録された移動通信端末と通信する通信手段と、前記移動通信端末との通信に応じて前記移動通信端末が発信する所定の信号電波の有無を前記水槽内で検出する検出手段と、前記所定の信号電波が検出されたとき前記注水手段による前記水槽への注水を禁止する注水禁止手段とを設けたことを特徴とするものである。
【００１３】
従って、本発明によれば、洗濯機の制御手段は、接続手段に接続された電話機より予め登録された移動通信端末の電話番号に発呼し、これに応じて移動通信端末は、発信手段より所定の信号電波を発信し、これを洗濯機の検出手段が検出すると、注水禁止手段が注水手段による水槽への注水を禁止するので、移動通信端末が衣類に入れられたまま水槽に投入されても、移動通信端末が水没するのを防止することができる。
【００１４】
また、本発明によれば、移動通信端末と通信し、これに応じて移動通信端末の発信手段は所定の信号電波を発信し、これを洗濯機の洗濯機が水槽内で検出し、この検出に応じて注水禁止手段が注水手段による水槽への注水を禁止するので、移動通信端末が衣類に入れられたまま水槽に投入されても、移動通信端末が水没するのを防止することができる。
【００１５】
【発明の実施の形態】
以下、本発明の実施の形態を図面と共に説明する。
図１は本発明の実施の形態による移動通信端末の水濡れ防止システムを示す構成図である。
本実施の形態は、移動通信端末を衣類に入れたまま洗濯しようとすると、水槽内の移動通信端末の有無を検出し、移動通信端末が有ると水槽への注水が禁止されると共に、音声や表示により警告が発せられるようにしたものである。
【００１６】
図１において、１は全自動式洗濯機（以下、単に洗濯機と言う）、２はユーザが所有する固定電話機２である。
洗濯機１において、３は衣類を洗濯する水槽、４は注水口、５はモータ等を含む機構部である。６はコンピュータで、洗濯開始ボタンを押す、あるいはタイマで設定された洗濯開始時刻になると、洗濯プログラムに基づいて自動的に洗濯物を計量し、それに見合った水量の注水、洗剤の投入、洗浄、すすぎ、脱水等の一連の洗濯作業を行い完了させる制御を行う。７は水槽３内の衣類、８は衣類６のポケットに入れられた携帯電話機等の移動通信端末、９は水槽３内に設けられ移動通信端末８が発信する所定の信号電波を検出するセンサである。
【００１７】
尚、移動通信端末８は、通常の通信機能の他に、Ｂｌｕｅｔｏｏｔｈや無線ＬＡＮ等により近距離無線通信を行う近距離通信部、及び洗濯機１からの通知に応じて上記所定の信号電波を発信する発信手段、及び警告手段を有しているものとする。
【００１８】
図２はコンピュータ５の構成を示すブロック図である。
図２において、１０は上記一連の洗濯作業の制御、及びその他所定の処理を行うＣＰＵ、１１はセンサ９からの信号に基づいて前記所定の信号電波を検出する電波検出部、１２は固定電話機２が接続される接続部、１３はＢｌｕｅｔｏｏｔｈや無線ＬＡＮ等により近距離無線通信を行う近距離通信部、１４は移動通信端末８の電話番号を登録する不揮発性メモリ１４、１５はスピーカ、１６は表示部、１７は操作部で、前記洗濯開始ボタンを有する。１８は洗濯開始時刻等を設定するタイマ、１９は洗濯プログラム及びその他の制御プログラム等を格納するＲＯＭ，２０は作業用ＲＡＭである。
【００１９】
次に、上記構成による動作について図３のフローチャートを用いて説明する。
本実施の形態は、固定電話機２を用いる場合と、近距離通信部１３を用いる場合とがあるが、まず固定電話機２を用いる場合を説明する。
図１、図２、図３において、ユーザがポケットに移動通信端末８を入れたままの衣類７を水槽３に入れた状態で、操作部１７の洗濯開始ボタンを押す、あるいはタイマ１８で設定された洗濯開始時刻になると（ステップＳ１  洗濯開始の指示）、ＣＰＵ１０は、固定電話機２に対して不揮発性メモリ１４に登録された移動通信端末８の電話番号に発呼させる（ステップＳ２）。この発呼に応じて移動通信端末８は発信手段から所定の信号電波を発信すると共に、警告手段により警告音、警告メッセージによる警告を発する。
【００２０】
上記信号電波の有無を水槽３内のセンサ９及び電波検出部１１が検出する（ステップＳ３）。もし信号電波を検出しなかった場合は、水槽３内には移動通信端末８がなかったものとして直ちに通常の洗濯プログラムが動作し、全自動洗濯が行われて終了する（ステップＳ４）。
【００２１】
センサ９及び電波検出部１１が上記信号電波を検出した場合は、ＣＰＵ１０は注水口３からの水槽４への注水を禁止すると共に、スピーカ１５により警告音を発し、表示部１５により警告メッセージを表示する（ステップＳ５）。
【００２２】
次に、ユーザは洗濯層の中から移動通信端末を取り除くと共に、警告を解除する（ステップＳ６）。洗濯機１は再び水槽３内の信号電波を発している移動通信端末の有無を調べ、移動通信端末８が無かった場合は洗濯プログラムを動作させる（ステップＳ４）。
【００２３】
上述では、不揮発性メモリ１４には１つの移動通信端末８の電話番号を登録しているが、複数の移動通信端末の電話番号を登録してもよい。その場合は、ステップＳ２では、登録されている全ての移動通信端末に発呼し、全ての移動通信端末が所定の信号電波を発信するが、水槽３内にある移動通信端末８からの信号電波のみがセンサ９で検出されることになる。
以上によれば、洗濯による移動通信端末の水没故障を未然に防ぐことができる。
【００２４】
次に、近距離通信部１３を用いる場合を説明する。
この場合は、ステップＳ１で洗濯開始が指示されると、次にステップＳ７が実行される。近距離通信部１３は水槽３内に向けてページングを行い、水槽３内から信号電波による応答があった場合は、注水を禁止すると共に警報を出す。
以上によれば、洗濯による移動通信端末の水没故障を未然に防ぐことができる。また、移動通信端末との近距離通信により直接通信するので、洗濯機に固定電話機を接続する必要がない。
【００２５】
【発明の効果】
以上説明したように本発明によれば、移動通信端末が衣類に入れられたまま水槽に投入されても、水槽に注水されて移動通信端末が水没するのを確実に防止することができる。
【図面の簡単な説明】
【図１】本発明の実施の形態による移動通信端末の水濡れ防止システムを示す構成図である。
【図２】洗濯機のコンピュータの構成を示すブロック図である。
【図３】洗濯機の動作を示すフローチャートである。
【符号の説明】
１：洗濯機、２：電話機、３：水槽、４：注水口、５：機構部、６：コンピュータ、７：衣類、８：移動通信端末、９：センサ、１０：ＣＰＵ、１１：電波検出部、１２：通信部、１３：近距離通信部、１４：不揮発性メモリ、１５：スピーカ、１６：表示部、１７：操作部、１８：タイマ、１９：ＲＯＭ、２０：ＲＡＭ
【図１】
2004351124.tif 000003
【図２】
2004351124.tif 000004
【図３】
2004351124.tif 000005